(57)【要約】【課題】風景撮影モード等の撮影モードに適した傾きガイド表示が行われるようにする。【解決手段】カメラシステム制御マイコン１０９は傾き情報を取り込むとともに、現在の撮影モードとして風景撮影モードが設定されているか否かの判定を行う。風景撮影モードである場合、現在のビデオカメラ１００の傾きが設定値β以上であるか否かの判定を行い、傾きがβ以上であれば傾きガイド表示をＯＮ（表示）とし、β未満であれば傾きガイド表示をＯＦＦ（非表示）とする。ここで、傾きβは、風景撮影モード以外の撮影モード時において傾きガイド表示をＯＮ／ＯＦＦ（表示／非表示）する傾きαよりも小さく設定されており、傾きが目立ちやすい広角画角での撮影頻度の高い風景撮影モードにおいて、より小さな傾きに対して傾きガイド表示が行われるようになっている。【選択図】図１
2008017036.tif 000002
【特許請求の範囲】
【請求項１】
撮影モードを設定する撮影モード設定手段と、
撮影画像を表示する表示手段と、
該撮像装置の傾きを検出する傾き検出手段と、
前記傾き検出手段により検出された傾きに応じた傾きガイド表示を前記表示手段に表示する表示処理手段と、
前記傾き検出手段により検出された傾きに応じて前記傾きガイド表示の表示と非表示を切り替えるとともに、前記撮影モード設定手段にて設定される撮影モードに応じて、前記傾きガイド表示の表示と非表示を切り替える傾きを変更する表示制御手段とを有することを特徴とする撮像装置。
【請求項２】
前記表示制御手段は、前記撮影モード設定手段にて設定される撮影モードが風景撮影に適した撮影モードである場合に、前記傾きガイド表示の表示と非表示を切り替える傾きを、それ以外の撮影モードが設定された場合よりも小さくすることを特徴とする請求項１に記載の撮像装置。
【請求項３】
前記表示制御手段は、前記撮影モード設定手段にて設定される撮影モードが夜間撮影に適した撮影モードである場合に、前記傾きガイド表示の表示と非表示を切り替える傾きを、それ以外の撮影モードが設定された場合よりも小さくすることを特徴とする請求項１に記載の撮像装置。
【請求項４】
撮影モードを設定する撮影モード設定手段と、
撮影画像を表示する表示手段と、
該撮像装置の傾きを検出する傾き検出手段と、
前記傾き検出手段により検出された傾きを誇張した傾きガイド表示を前記表示手段に表示する表示処理手段と、
前記撮影モード設定手段にて設定される撮影モードに応じて、前記傾きガイド表示の誇張の度合いを変更する表示制御手段とを有することを特徴とする撮像装置。
【請求項５】
前記表示制御手段は、前記撮影モード設定手段にて設定される撮影モードが風景撮影に適した撮影モードである場合に、前記傾きガイド表示の誇張の度合いを高くすることを特徴とする請求項４に記載の撮像装置。
【請求項６】
前記表示制御手段は、前記撮影モード設定手段にて設定される撮影モードが夜間撮影に適した撮影モードである場合に、前記傾きガイド表示の誇張の度合いを高くすることを特徴とする請求項４に記載の撮像装置。
【請求項７】
撮影モードを設定する撮影モード設定手段と、
撮影画像を表示する表示手段と、
該撮像装置の傾きを検出する傾き検出手段と、
前記傾き検出手段により検出された傾きに応じた傾きガイド表示を前記表示手段に表示する表示処理手段と、
前記撮影モード設定手段にて設定される撮影モードに応じて、前記傾き検出手段の検出感度を変更する検出感度変更手段とを有することを特徴とする撮像装置。
【請求項８】
前記検出感度変更手段は、前記撮影モード設定手段にて設定される撮影モードが風景撮影に適した撮影モードである場合に、前記傾き検出手段の検出感度を上げることを特徴とする請求項７に記載の撮像装置。
【請求項９】
前記検出感度変更手段は、前記撮影モード設定手段にて設定される撮影モードが夜間撮影に適した撮影モードである場合に、前記傾き検出手段の検出感度を上げることを特徴とする請求項７に記載の撮像装置。
【請求項１０】
撮影モードを設定する撮影モード設定手段と、撮影画像を表示する表示手段と、該撮像装置の傾きを検出する傾き検出手段と備え、前記傾き検出手段により検出された傾きに応じた傾きガイド表示を前記表示手段に表示するかどうかを切り替える撮像装置の制御方法であって、
前記撮影モード設定手段にて設定される撮影モードに応じて、前記傾きガイド表示の表示と非表示を切り替える傾きを変更することを特徴とする撮像装置の制御方法。
【請求項１１】
撮影モードを設定する撮影モード設定手段と、撮影画像を表示する表示手段と、該撮像装置の傾きを検出する傾き検出手段とを備え、前記傾き検出手段により検出された傾きを誇張して傾きガイド表示を前記表示手段に表示する撮像装置の制御方法であって、
前記撮影モード設定手段にて設定される撮影モードに応じて、前記傾きガイド表示の誇張の度合いを変更することを特徴とする撮像装置の制御方法。
【請求項１２】
撮影モードを設定する撮影モード設定手段と、撮影画像を表示する表示手段と、該撮像装置の傾きを検出する傾き検出手段とを備え、前記傾き検出手段により検出された傾きに応じた傾きガイド表示を前記表示手段に表示する撮像装置の制御方法であって、
前記撮影モード設定手段にて設定される撮影モードに応じて、前記傾き検出手段の検出感度を変更することを特徴とする撮像装置の制御方法。
【請求項１３】
撮影モードを設定する撮影モード設定手段と、撮影画像を表示する表示手段と、該撮像装置の傾きを検出する傾き検出手段とを備え、前記傾き検出手段により検出された傾きに応じた傾きガイド表示を前記表示手段に表示するかどうかを切り替える撮像装置を制御するためのコンピュータプログラムであって、
前記撮影モード設定手段にて設定される撮影モードに応じて、前記傾きガイド表示の表示と非表示を切り替える傾きを変更する処理をコンピュータに実行させることを特徴とするコンピュータプログラム。
【請求項１４】
撮影モードを設定する撮影モード設定手段と、撮影画像を表示する表示手段と、該撮像装置の傾きを検出する傾き検出手段とを備え、前記傾き検出手段により検出された傾きを誇張した傾きガイド表示を前記表示手段に表示する撮像装置を制御するためのコンピュータプログラムであって、
前記撮影モード設定手段にて設定される撮影モードに応じて、前記傾きガイド表示の誇張の度合いを変更する処理をコンピュータに実行させることを特徴とするコンピュータプログラム。
【請求項１５】
撮影モードを設定する撮影モード設定手段と、撮影画像を表示する表示手段と、該撮像装置の傾きを検出する傾き検出手段とを備え、前記傾き検出手段により検出された傾きに応じた傾きガイド表示を前記表示手段に表示する撮像装置を制御するためのコンピュータプログラムであって、
前記撮影モード設定手段にて設定される撮影モードに応じて、前記傾き検出手段の検出感度を変更する処理をコンピュータに実行させることを特徴とするコンピュータプログラム。
【発明の詳細な説明】
【技術分野】
【０００１】
本発明は、撮影時に水平を保持するためのガイド表示が行われるようにした撮像装置、撮像装置の制御方法、及びコンピュータプログラムに関する。
【背景技術】
【０００２】
従来より、ビデオカメラ等にて撮影された映像を鑑賞しやすいものとする目的で、撮影時にカメラの水平を維持するための技術が提案されている。
【０００３】
例えば特許文献１には、姿勢検出手段によりカメラの傾斜角度を検出し、検出された傾斜角度に対応した表示パターンを画面表示することで、カメラが傾いていることを撮影者に提示し、注意を促すようにしている。
【０００４】
また、傾きの表示方法としても、例えば特許文献２には、水平基準線とカメラの傾きを表わす線の両方を色分けして表示し、一致したら一本の線として表示することが提案されている。
【０００５】
【特許文献１】特開昭６４−４０８２４号公報
【特許文献２】特開２００２−２７１６５４号公報
【発明の開示】
【発明が解決しようとする課題】
【０００６】
上述したようにカメラが傾いていることの注意を喚起するためのガイド表示であるが、これまでは、撮影モードの設定とは無関係に表示が行われていた。例えば広角画角での撮影頻度の高い撮影モード（風景撮影モード等）では、カメラの傾きが目立ちやすくなるため、より微小な傾きを検出する、あるいは、撮影者によりわかりやすく注意を喚起することが望ましい。
【０００７】
本発明は上記のような点に鑑みてなされたものであり、風景撮影モード等の撮影モードに適した傾きガイド表示が行われるようにすることを目的とする。
【課題を解決するための手段】
【０００８】
本発明の撮像装置は、撮影モードを設定する撮影モード設定手段と、撮影画像を表示する表示手段と、該撮像装置の傾きを検出する傾き検出手段と、前記傾き検出手段により検出された傾きに応じた傾きガイド表示を前記表示手段に表示する表示処理手段と、前記傾き検出手段により検出された傾きに応じて前記傾きガイド表示の表示と非表示を切り替えるとともに、前記撮影モード設定手段にて設定される撮影モードに応じて、前記傾きガイド表示の表示と非表示を切り替える傾きを変更する表示制御手段とを有することを特徴としている。
本発明の別の撮像装置は、撮影モードを設定する撮影モード設定手段と、撮影画像を表示する表示手段と、該撮像装置の傾きを検出する傾き検出手段と、前記傾き検出手段により検出された傾きを誇張した傾きガイド表示を前記表示手段に表示する表示処理手段と、前記撮影モード設定手段にて設定される撮影モードに応じて、前記傾きガイド表示の誇張の度合いを変更する表示制御手段とを有することを特徴としている。
本発明の別の撮像装置は、撮影モードを設定する撮影モード設定手段と、撮影画像を表示する表示手段と、該撮像装置の傾きを検出する傾き検出手段と、前記傾き検出手段により検出された傾きに応じた傾きガイド表示を前記表示手段に表示する表示処理手段と、前記撮影モード設定手段にて設定される撮影モードに応じて、前記傾き検出手段の検出感度を変更する検出感度変更手段とを有することを特徴としている。
本発明の撮像装置の制御方法は、撮影モードを設定する撮影モード設定手段と、撮影画像を表示する表示手段と、該撮像装置の傾きを検出する傾き検出手段と備え、前記傾き検出手段により検出された傾きに応じた傾きガイド表示を前記表示手段に表示するかどうかを切り替える撮像装置の制御方法であって、前記撮影モード設定手段にて設定される撮影モードに応じて、前記傾きガイド表示の表示と非表示を切り替える傾きを変更することを特徴としている。
本発明の別の撮像装置の制御方法は、撮影モードを設定する撮影モード設定手段と、撮影画像を表示する表示手段と、該撮像装置の傾きを検出する傾き検出手段とを備え、前記傾き検出手段により検出された傾きを誇張した傾きガイド表示を前記表示手段に表示する撮像装置の制御方法であって、前記撮影モード設定手段にて設定される撮影モードに応じて、前記傾きガイド表示の誇張の度合いを変更することを特徴としている。
本発明の別の撮像装置の制御方法は、撮影モードを設定する撮影モード設定手段と、撮影画像を表示する表示手段と、該撮像装置の傾きを検出する傾き検出手段とを備え、前記傾き検出手段により検出された傾きに応じた傾きガイド表示を前記表示手段に表示する撮像装置の制御方法であって、前記撮影モード設定手段にて設定される撮影モードに応じて、前記傾き検出手段の検出感度を変更することを特徴としている。
本発明のコンピュータプログラムは、撮影モードを設定する撮影モード設定手段と、撮影画像を表示する表示手段と、該撮像装置の傾きを検出する傾き検出手段とを備え、前記傾き検出手段により検出された傾きに応じた傾きガイド表示を前記表示手段に表示するかどうかを切り替える撮像装置を制御するためのコンピュータプログラムであって、前記撮影モード設定手段にて設定される撮影モードに応じて、前記傾きガイド表示の表示と非表示を切り替える傾きを変更する処理をコンピュータに実行させることを特徴としている。。
本発明の別のコンピュータプログラムは、撮影モードを設定する撮影モード設定手段と、撮影画像を表示する表示手段と、該撮像装置の傾きを検出する傾き検出手段とを備え、前記傾き検出手段により検出された傾きを誇張した傾きガイド表示を前記表示手段に表示する撮像装置を制御するためのコンピュータプログラムであって、前記撮影モード設定手段にて設定される撮影モードに応じて、前記傾きガイド表示の誇張の度合いを変更する処理をコンピュータに実行させることを特徴としている。
本発明の別のコンピュータプログラムは、撮影モードを設定する撮影モード設定手段と、撮影画像を表示する表示手段と、該撮像装置の傾きを検出する傾き検出手段とを備え、前記傾き検出手段により検出された傾きに応じた傾きガイド表示を前記表示手段に表示する撮像装置を制御するためのコンピュータプログラムであって、前記撮影モード設定手段にて設定される撮影モードに応じて、前記傾き検出手段の検出感度を変更する処理をコンピュータに実行させることを特徴としている。
【発明の効果】
【０００９】
本発明によれば、撮影モード設定手段にて設定される撮影モードに応じて、傾きガイド表示の表示と非表示を切り替える傾きを変更したり、傾きガイド表示の誇張の度合いを変更したり、傾き検出手段の検出感度を変更したりするようにしたので、風景撮影モード等の撮影モードに適した傾きガイド表示が行われるようにすることができる。
【発明を実施するための最良の形態】
【００１０】
以下、添付図面を参照して、本発明の好適な実施形態について説明する。
（第１の実施形態）
図１は、第１の実施形態に係るビデオカメラの概略構成を示すブロック図である。１０１は被写体を撮影するためのレンズユニットである。１０２はレンズユニット１０１により結像された被写体像を光電変換するＣＣＤである。
【００１１】
１０３はアナログ信号処理回路であり、ＣＣＤ１０２で得られた信号に所定の処理を施し、アナログ撮像信号を生成する。アナログ信号処理回路１０３は、例えばＣＤＳ（co-related double sampling 相関二重サンプリング）回路、ＡＧＣ（Automatic Gain Control）回路等により構成される。１０４はカメラ信号処理回路であり、内蔵しているＡ／Ｄ変換器によりアナログ撮像信号をデジタル信号に変換し、ガンマ補正、ホワイトバランス等、所定の信号処理を施した後に最終的な出力映像信号を生成する。
【００１２】
１０７はビデオカメラの傾きを検出するための傾きセンサであり、本実施形態においては加速度センサを採用している。１０８は傾きセンサ１０７の出力を増幅するアンプ回路である。
【００１３】
１０９はカメラシステム制御マイコンであり、カメラ制御部１１１及び表示制御部１１０を含んで構成される。カメラ制御部１１１は、ＣＣＤ１０２、アナログ信号処理回路１０３、カメラ信号処理回路１０４の駆動制御を行う。同時に、表示制御部１１０は、アンプ回路１０８の出力を取り込み、検出された傾き情報から傾きに応じた傾きガイド表示を行うか否かを決定して、傾きガイド表示制御情報をガイド表示設定部１１２に出力する。
【００１４】
１１２はガイド表示設定部であり、表示制御部１１０からの傾きガイド表示制御情報に基づいて傾きガイド表示信号を出力する。１０５は表示処理回路であり、傾きガイド表示信号に基づいて、出力映像信号に傾きガイド表示を重畳して表示装置１０６に表示する。１０６は液晶パネルやビューファインダ等の表示装置である。
【００１５】
１１３は撮影モードの設定を切り替える撮影モード設定切り替えスイッチである。撮影者が撮影モード設定切り替えスイッチ１１３を切り替えることにより、風景撮影モード、ポートレイト撮影モード、スポーツ撮影モード等のカメラの仕様にある撮影モードを設定することができる。例えば風景撮影モードは、近景から遠景までシャープな映像を撮影できるように被写界深度が深くなるような露出制御を設定する撮影モードである。ポートレイト撮影モードは、主被写体像の背景にボケ味を出すような露出制御を設定する撮影モードである。スポーツ撮影モードは、速い動きの被写体像を的確に捉えられるようにシャッター制御を高速側に重み付けした露出制御を設定する撮影モードである。その他、露出制御、ホワイトバランス制御等カメラ制御の組み合わせによって設定できるモードも撮影モード設定として盛り込むことができる。撮影モード切り替え時には、カメラ制御部１１１により、上述した撮影モードの設定に合わせた各処理回路の設定が行われる。
【００１６】
図２Ａ、２Ｂを参照して、ビデオカメラの傾きと傾きセンサ１０７の出力との関係を説明する。図２Ａにおいて、１００はビデオカメラ、１０６は表示装置である液晶パネル、１０７は傾きセンサ（加速度センサ）である。図２Ａ（ｂ）を通常撮影時のビデオカメラ１００の状態（正位置）とし、図２Ａ（ａ）はビデオカメラ１００を右に９０度、図２Ａ（ｃ）は左に９０度傾けた状態を示している。
【００１７】
図２Ｂには、図２Ａ（ａ）、（ｂ）、（ｃ）の状態にある傾きセンサ１０７の出力特性を表わす。図２Ｂにおいて、縦軸は傾きセンサ１０７の出力、横軸は傾きセンサ１０７の傾き、３０１はビデオカメラ１００の傾きに基づいた傾きセンサ１０７の出力変化量を表わす。傾きセンサ１０７の出力を増幅するアンプ回路１０８のゲイン設定を適切にすることにより、図示した出力範囲を取るように設定したものである。
【００１８】
図２Ｂの点２０１はビデオカメラ１００が正位置にある場合の傾きセンサ１０７の出力であり、電源電圧Ｖccの１／２となる。それに対して、図２Ａ（ａ）のようにビデオカメラ１００を右に９０度傾けると、傾きセンサ１０７の出力は電源電圧Ｖccと同じとなる（図２Ｂの点２０２）。逆に図２Ａ（ｃ）のようにビデオカメラ１００を左に９０度傾けると、傾きセンサ１０７の出力はＧＮＤレベルとなる（図２Ｂの点２０３）。
【００１９】
図２Ｂの点２０１、２０２間、又は、点２０１、２０３間の傾きにおいては、傾きセンサ１０７の出力は傾きに対してリニアに変化する特性となっている。したがって、図２Ｂの点２０１で示される正位置での出力電圧の前後で所定の閾値電圧を設定することで、所定の傾き（角度）に達したか否かの判定が可能となる。このセンサ出力電圧の閾値電圧を風景撮影モードとそれ以外の撮影モード（以下、「他の撮影モード」という）とで切り替えることにより、撮影モードに応じた傾きガイド表示をＯＮ／ＯＦＦ（表示／非表示）とする傾き（角度）の設定が可能となるのである。なお、傾きセンサ１０７の実装方向を逆にした場合は、ビデオカメラ１００を傾けた場合のセンサ出力電圧は図２Ｂと逆特性になるが、同様の設定が可能である。
【００２０】
図３は、第１の実施形態におけるビデオカメラ１００の処理動作を説明するためのフローチャートである。ステップＳ３０１で、カメラシステム制御マイコン１０９は傾き情報を取り込む。ステップＳ３０２で、カメラシステム制御マイコン１０９は現在の撮影モードの設定を判別する。具体的には、風景撮影モードが設定されているか否かの判定を行う。
【００２１】
ステップＳ３０２において風景撮影モードでない場合、ステップＳ３０３に進み、カメラシステム制御マイコン１０９は現在のビデオカメラ１００の傾き角度が設定値α以上であるか否かの判定を行う。傾き角度がα以上であれば、ステップＳ３０４に進み、傾きガイド表示をＯＮ（表示）とする。傾き角度がα未満であれば、ステップＳ３０７に進み、傾きガイド表示をＯＦＦ（非表示）とする。
【００２２】
一方、ステップＳ３０２において風景撮影モードである場合、ステップＳ３０６に進み、カメラシステム制御マイコン１０９は現在のビデオカメラ１００の傾き角度が設定値β以上であるか否かの判定を行う。傾き角度がβ以上であれば、ステップＳ３０４に進み、傾きガイド表示をＯＮ（表示）とする。傾き角度がβ未満であれば、ステップＳ３０７に進み、傾きガイド表示をＯＦＦ（非表示）とする。
【００２３】
ここで、αとβの関係は、α＞βとなっており、傾きガイド表示のＯＮ／ＯＦＦ（表示／非表示）となるビデオカメラ１００の傾きが、風景撮影モードの方が他の撮影モードに比べて小さく設定されている。すなわち、傾きが目立ちやすい広角画角での撮影頻度の高い風景撮影モードにおいて、より小さな傾きに対して傾きガイド表示が行われるようになっている。したがって、微小な傾きであっても撮影者にビデオカメラ１００の傾きの注意を喚起することができる。
【００２４】
ステップＳ３０５で、カメラシステム制御マイコン１０９は傾きガイド表示制御情報をガイド表示設定部１１２に出力し、傾きガイド表示の指示を行う。
【００２５】
図４は、表示装置１０６に傾きガイド表示が行われる様子を示す図である。上述したように、傾きガイド表示のＯＮ／ＯＦＦを切り替える傾き角度（センサ出力の閾値電圧）が、風景撮影モードであるか、他の撮影モードであるかに応じて変化する。これにより、他の撮影モード時に比べて（図４（ｂ））、風景撮影モード時では傾きガイド表示をＯＦＦとする範囲を狭くすることができる（図４（ａ））。したがって、風景撮影モード時にビデオカメラ１００の傾きをよりはやく撮影者が判断できるようになる。
【００２６】
ここで、傾きガイド表示を行うセンサ出力の閾値電圧を決定する一例を述べる。風景撮影モードは、近景から遠景までシャープな映像を撮影できるように被写界深度が深くなるような露出制御をする設定モードである。そのため、小絞り状態での露出制御が中心となる。また、風景撮影モードでは撮影画角が広角側での撮影の頻度が高い。そこで、焦点距離が所定値（例えば焦点距離の２分の１）よりも広角側で、さらに絞り値が所定の絞り値以上（例えばＦ８以上）となったら、少ない傾きで傾きガイド表示をＯＮとするセンサ出力電圧を閾値電圧として設定すればよいことになる。
【００２７】
以上説明したように、表示装置１０６に、ビデオカメラ１００の傾きに関する傾きガイド表示を行う場合、撮影モードが風景撮影モードであるか否かに応じて、傾きガイド表示をＯＮ／ＯＦＦする傾き角度を変更する。特に傾きの目立ちやすい広角画角での撮影頻度の高い風景撮影モードでの撮影時に、傾きガイド表示をＯＮ／ＯＦＦにする傾き角度を小さく設定することにより、撮影者にカメラの傾きをいち早く知らせると共に、水平の精度を向上させることが可能となる。その一方で、広角画角での撮影頻度の低いスポーツ撮影モード設定やポートレイト撮影モード時には、大きく傾かなければ傾きガイド表示が表示されないので、撮影中のモニタ画面の煩雑さを低減することができる。
【００２８】
（第２の実施形態）
本発明の第２の実施形態について説明する。第２の実施形態のビデオカメラの構成は第１の実施形態と同様であり、ここではその詳細な説明は省略する。
【００２９】
図５は、第２の実施形態におけるビデオカメラ１００の処理動作を説明するためのフローチャートである。ステップＳ５０１で、カメラシステム制御マイコン１０９は傾き情報を取り込む。ステップＳ５０２で、カメラシステム制御マイコン１０９は現在のビデオカメラ１００の傾きが設定値α以上であるか否かの判定を行う。傾きがα以上であれば、ステップＳ５０３に進み、傾きガイド表示をＯＮ（表示）とする。傾きがα未満であれば、ステップＳ５０７に進み、傾きガイド表示をＯＦＦ（非表示）とする。
【００３０】
ステップＳ５０３において傾きガイド表示をＯＮ（表示）とした場合、ステップＳ５０４で、カメラシステム制御マイコン１０９は現在の撮影モードの設定を判別する。具体的には、風景撮影モードが設定されているか否かの判定を行う。
【００３１】
ステップＳ５０４において風景撮影モードである場合、ステップＳ５０５に進み、傾きガイド表示の誇張の度合いを高くするために、傾きセンサ１０７からの出力値を１．５倍した値を傾きガイド表示の角度にする。一方、ステップＳ５０４において風景撮影モードでない場合、ステップＳ５０６に進み、傾きセンサ１０７からの出力値をそのまま傾きガイド表示の角度にする。
【００３２】
ステップＳ６０８で、カメラシステム制御マイコン１０９は傾きガイド表示制御情報をガイド表示設定部１１２に出力し、傾きガイド表示の指示を行う。
【００３３】
図８は、表示装置１０６に傾きガイド表示が行われる様子を示す図である。水平位置に対するビデオカメラ１００の傾きが同じであっても、他の撮影モード時に比べて（図９（ａ））、風景撮影モード時では傾きガイド表示の角度が大きくなるように誇張されていることがわかる（図９（ｂ））。したがって、風景撮影モード時に微小な傾きであっても撮影者にビデオカメラ１００の傾きの注意を喚起することができる。
【００３４】
このように風景撮影モード時に傾きガイド表示が角度を誇張して表示されることにより、ビデオカメラ１００の傾きがより明確となり、撮影者が認識しやすくなる。また、風景撮影モード時に傾きガイド表示が誇張されることにより、微小な動きに対する傾きの変化がわかりやすくなるため、水平状態をより合わせやすくなる。
【００３５】
以上説明したように、風景撮影モード時には、他の撮影モード時に比べて傾きガイド表示の誇張の度合いを高くする。これにより、撮影画像の傾きが目立ちやすい風景撮影モードで撮影する場合に、ビデオカメラ１００の傾き具合をよりわかりやすく撮影者に知らせることが可能となる。さらに、微小な傾きに対するビデオカメラ１００の傾き変位量がはっきりとわかるようになるので、水平状態を容易にあわせることが可能となる。その一方で、広角画角での撮影頻度の低いスポーツ撮影モード設定やポートレイト撮影モード時には、傾きガイド表示が誇張されないので、撮影中のモニタ画面の煩雑さを低減することができる。
【００３６】
（第３の実施形態）
本発明の第３の実施形態について説明する。図６は、第３の実施形態に係るビデオカメラの概略構成の一部を示すブロック図であり、ビデオカメラの基本構成は第１の実施形態と同様であるが、アンプ回路１０８に替えてゲイン可変アンプ回路６０１を設けている。なお、図１に示した構成要素と同様の構成要素には同一の符号を付し、その詳細な説明は省略する。
【００３７】
ゲイン可変アンプ回路６０１は、傾きセンサ１０７のセンサ出力に対するゲインを変更するものであり、これにより傾きセンサ１０８及びゲイン可変アンプ回路６０１により構成される傾き検出手段の検出感度を変更することができる。ゲイン可変アンプ回路６０１は、撮影モード設定切り替えスイッチ１１３により設定される撮影モードに応じて、カメラシステム制御マイコン６０２に設けられたゲイン制御部６０３によりゲイン設定が変更されるようになっている。
【００３８】
図９は、ゲイン可変アンプ回路６０１の構成例を示す図である。ゲイン可変アンプ６０１は、アンプ７０５、抵抗７０６、ゲイン切り替えスイッチ７０４により構成される。カメラシステム制御マイコン６０２からのスイッチ切り替え信号により、アンプ７０５の入力抵抗が並列に接続され、アンプゲインが高くなるようになっている。このゲイン変更は、風景撮影モード設定時において、傾きガイド表示を誇張するために行われる。
【００３９】
図７は、第３の実施形態におけるビデオカメラ１００の処理動作を説明するためのフローチャートである。ステップＳ７０１で、カメラシステム制御マイコン６０２は傾き情報を取り込む。ステップＳ７０２で、カメラシステム制御マイコン６０２は現在の撮影モードの設定を判別する。具体的には、風景撮影モードが設定されているか否かの判定を行う。
【００４０】
ステップＳ７０２において風景撮影モードである場合、ステップＳ７０３に進み、センサ感度が上がっているか否か、すなわちゲイン可変アンプ回路６０１のゲインが高く設定されているか否かを確認する。センサ感度が上がっていない場合、ステップＳ７０８でゲインを高くする設定を行う。
【００４１】
そして、ステップＳ７０４で、カメラシステム制御マイコン６０２は現在のビデオカメラ１００の傾き角度が設定値α以上であるか否かの判定を行う。傾き角度がα以上であれば、ステップＳ７０５に進み、傾きガイド表示をＯＮ（表示）とする。傾き角度がα未満であれば、ステップＳ７０７に進み、傾きガイド表示をＯＦＦ（非表示）とする。
【００４２】
一方、ステップＳ７０２において風景撮影モードでない場合、ステップＳ７０９に進み、センサ感度が通常設定となっているか否かを確認する。センサ感度が通常設定でない場合、すなわち風景撮影モード時のセンサ感度であった場合は、ステップＳ７１０でセンサ感度を通常設定に変更する。これは、前述のゲイン可変アンプ６０１内のゲイン切り替えスイッチ７０４をＯＦＦとする動作である。
【００４３】
そして、ステップＳ７０４で、カメラシステム制御マイコン６０２は現在のビデオカメラ１００の傾き角度が設定値α以上であるか否かの判定を行う。傾き角度がα以上であれば、ステップＳ７０５に進み、傾きガイド表示をＯＮ（表示）とする。傾きがα未満であれば、ステップＳ７０７に進み、傾きガイド表示をＯＦＦ（非表示）とする。
【００４４】
ステップＳ７０６で、カメラシステム制御マイコン６０２は傾きガイド表示制御情報をガイド表示設定部１１２に出力し、傾きガイド表示の指示を行う。
【００４５】
以上説明したように、風景撮影モード時には、他の撮影モード時に比べてセンサ感度を上げる。これにより、第２の実施形態と同様にガイド表示の誇張の度合いが高くなるので、撮影画像の傾きが目立つやすい風景撮影モードで撮影する場合に、ビデオカメラ１００の傾き具合をよりわかりやすく撮影者に知らせることが可能となる。さらに、微小な傾きに対するビデオカメラ１００の傾き変位量がはっきりとわかるようになるので、水平状態を容易にあわせることが可能となる。その一方で、広角画角での撮影頻度の低いスポーツ撮影モード設定やポートレイト撮影モード時には、傾きガイド表示が誇張されないので、撮影中のモニタ画面の煩雑さを低減することができる。
【００４６】
（第４の実施形態）
本発明の第４の実施形態について説明する。第４の実施形態は、上述の第１の実施形態と第２の実施形態とを組み合わせたものである。すなわち、風景撮影モード時と他の撮影モード時とにおいて、傾きガイド表示の表示／非表示を切り替える傾きを変更し、かつ、風景撮影モード時には、傾きガイド表示の誇張の度合いを高くする。第４の実施形態のビデオカメラの構成は第１の実施形態と同様であり、ここではその詳細な説明は省略する。
【００４７】
図１０は、第４の実施形態におけるビデオカメラ１００の処理動作を説明するためのフローチャートである。ステップＳ１００１で、カメラシステム制御マイコン１０９は傾き情報を取り込む。ステップＳ１００２で、カメラシステム制御マイコン１０９は現在の撮影モードの設定を判別する。具体的には、風景撮影モードが設定されているか否かの判定を行う。
【００４８】
ステップＳ１００２において風景撮影モードである場合、ステップＳ１００３に進み、カメラシステム制御マイコン１０９は現在のビデオカメラ１００の傾き角度が設定値β以上であるか否かの判定を行う。傾き角度がβ以上であれば、ステップＳ１００４に進み、傾きガイド表示をＯＮとし、さらに誇張の度合いを高くする。傾き角度がβ未満であれば、ステップＳ１００８に進み、傾きガイド表示をＯＦＦとする。
【００４９】
一方、ステップＳ１００２において風景撮影モードでない場合、ステップＳ１００６に進み、カメラシステム制御マイコン１０９は現在のビデオカメラ１００の傾きが設定値α以上であるか否かの判定を行う。傾き角度がα以上であれば、ステップＳ１００７に進み、ガイド表示をＯＮとし、さらに誇張の度合いを通常にする。傾き角度がα未満であれば、ステップＳ１００８に進み、傾きガイド表示をＯＦＦとする。
【００５０】
ここで、αとβの関係は、α＞（誇張係数×β）となっている。誇張係数とは、傾きセンサ１０７からの出力値を何倍して傾きガイド表示の角度にするのかを表す係数である。本実施形態では風景撮影モード時の誇張係数が１．５になっているので、α＞１．５×βの関係を満たすように角度αおよびβは設定される。これにより、傾きガイド表示のＯＮ／ＯＦＦ（表示／非表示）となる傾きは、他の撮影モード時に比べて、風景撮影モード時の方が常に小さくなる。さらにビデオカメラ１００の傾きが大きくなるに応じて、風景撮影モード時の傾きガイド表示が誇張されるようになる。
【００５１】
以上述べたように、ビデオカメラ１００が傾いた場合の傾きガイド表示は、傾きの目立ちやすくなる風景撮影モード時に、少ない傾きにおいて表示が行われる。これにより、撮影者にビデオカメラ１００の傾きをいち早く知らせると共に、傾きが大きい時は実際の傾きよりも誇張された表示がなされる。したがって、カメラの傾きがより明確となり、さらに、微小な動きに対する傾きの変化もわかりやすくなり、水平状態がより合わせやすくなると共に、水平の精度を向上させることが可能となる。
【００５２】
上述した第１〜第４の実施形態においては、風景撮影モードと他の撮影モードとで傾きガイド表示を異ならせるようにしたが、それに限られるものではない。例えば風景撮影モードに準ずる新緑／紅葉撮影モード、景色の水平が判別しにくい暗いシーンでの撮影となる花火撮影モード等にも、上述した風景撮影モードでの傾きガイド表示を適用することができる。
【００５３】
また、第１〜第４の実施形態ではビデオカメラを例にして説明したが、本発明は、静止画及び動画を記録可能なビデオカメラやデジタルカメラ等、ビューファインダや液晶パネル等の表示装置を有した撮像装置に広く適用することができる。
【００５４】
なお、本発明の目的は、上述した実施形態の機能を実現するソフトウェアのプログラムコードを記録した記憶媒体を、システム或いは装置に供給し、そのシステム或いは装置のコンピュータ（又はＣＰＵやＭＰＵ）が記憶媒体に格納されたプログラムコードを読み出し実行することによっても、達成されることは言うまでもない。
【００５５】
この場合、記憶媒体から読み出されたプログラムコード自体が上述した実施形態の機能を実現することになり、プログラムコード自体及びそのプログラムコードを記憶した記憶媒体は本発明を構成することになる。
【００５６】
プログラムコードを供給するための記憶媒体としては、例えば、フレキシブルディスク、ハードディスク、光ディスク、光磁気ディスク、ＣＤ−ＲＯＭ、ＣＤ−Ｒ、磁気テープ、不揮発性のメモリカード、ＲＯＭ等を用いることができる。
【００５７】
また、コンピュータが読み出したプログラムコードを実行することにより、上述した実施形態の機能が実現されるだけでなく、そのプログラムコードの指示に基づき、コンピュータ上で稼動しているＯＳ（基本システム或いはオペレーティングシステム）等が実際の処理の一部又は全部を行い、その処理によって上述した実施形態の機能が実現される場合も含まれることは言うまでもない。
【００５８】
さらに、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部又は全部を行い、その処理によって上述した実施形態の機能が実現される場合も含まれることは言うまでもない。
【図面の簡単な説明】
【００５９】
【図１】第１の実施形態に係るビデオカメラの概略構成を示すブロック図である。
【図２Ａ】ビデオカメラの傾きと傾きセンサの出力との関係を示す図である。
【図２Ｂ】ビデオカメラの傾きと傾きセンサの出力との関係を示す図である。
【図３】第１の実施形態におけるビデオカメラの処理動作を説明するためのフローチャートである。
【図４】表示装置に傾きガイド表示が行われる様子を示す図である。
【図５】第２の実施形態におけるビデオカメラの処理動作を説明するためのフローチャートである。
【図６】第３の実施形態に係るビデオカメラの概略構成の一部を示すブロック図である。
【図７】第３の実施形態におけるビデオカメラの処理動作を説明するためのフローチャートである。
【図８】表示装置に傾きガイド表示が行われる様子を示す図である。
【図９】第３の実施形態におけるゲイン可変アンプ回路の構成例を示す図である。
【図１０】第４の実施形態におけるビデオカメラの処理動作を説明するためのフローチャートである。
【符号の説明】
【００６０】
１００    ビデオカメラ
１０１    レンズユニット
１０２    ＣＣＤ
１０３    アナログ信号処理回路
１０４    カメラ信号処理回路
１０５    表示処理回路
１０６    表示装置
１０７    傾きセンサ
１０８    アンプ回路
１０７    ＣＣＤ
１０９    カメラシステム制御マイコン
１１０    カメラ制御部
１１１    表示制御部
１１２    ガイド表示設定部
６０１    ゲイン可変アンプ回路
６０２    カメラシステム制御マイコン
６０３    ゲイン制御部
【図１】
2008017036.tif 000003
【図２Ａ】
2008017036.tif 000004
【図２Ｂ】
2008017036.tif 000005
【図３】
2008017036.tif 000006
【図４】
2008017036.tif 000007
【図５】
2008017036.tif 000008
【図６】
2008017036.tif 000009
【図７】
2008017036.tif 000010
【図８】
2008017036.tif 000011
【図９】
2008017036.tif 000012
【図１０】
2008017036.tif 000013